(57)【特許請求の範囲】
【請求項１】
中央の信号線と前記信号線を取り囲む接地導体とを有する有限長としたコプレーナラインからなる基板の一主面に形成された共振回路と、前記コプレーナラインと一端側で電磁結合して前記基板の他主面に形成された出力線としてのマイクロストリップラインと、第１端子を外表面の中央部に有して前記第1端子とは極性の異なる第２及び第３端子を前記外表面の両端部に有する３端子型の負性抵抗体とを備え、前記負性抵抗体の第１端子は前記コプレーナラインの中央の信号線に接続し、前記負性抵抗体の第２端子は前記コプレーナラインの信号線に沿った両側のうちの一側の接地導体に接続し、前記負性抵抗体の第３端子は前記コプレーナラインの信号線に沿った両側のうちの他側の接地導体に接続したことを特徴とするコプレーナライン型の高周波発振器。
【請求項２】
中央の信号線と前記信号線を取り囲む接地導体とを有する有限長としたコプレーナラインからなる基板の一主面に形成された共振回路と、前記コプレーナラインと一端側で電磁結合して前記基板の他主面に形成された出力線としてのマイクロストリップラインと、互いに極性の異なる第1端子と第２端子を外表面の両端部に有する２端子型とした２個の負性抵抗体とを備え、前記２個の負性抵抗体うちの一方の負性抵抗体の前記第1端子を前記コプレーナラインの中央の信号線に接続し、前記一方の負性抵抗体の前記第２端子を前記コプレーナラインの信号線に沿った両側のうちの一側の接地導体に接続し、前記２個の負性抵抗体のうちのもう一方の負性抵抗体の前記第1端子を前記コプレーナラインの中央の信号線に接続し、前記もう一方の負性抵抗体の前記第２端子を前記コプレーナラインの信号線に沿った両側のうちの他側の接地導体に接続したことを特徴とするコプレーナライン型の高周波発振器
【発明の詳細な説明】
【０００１】
【発明の属する技術分野】
本発明は、コプレーナライン（以下、ＣＰＷ）からなる平面共振回路を用いたマイクロ波やミリ波帯のＣＰＷ型の高周波発振器（以下、高周波発振器とする）を産業上の技術分野とし、特に２端子型又は３端子型とした２端子対の負性抵抗体を用いた高周波発振器に関する。
【０００２】
【従来の技術】
（発明の背景）マイクロ波・ミリ波帯の高周波発振器は高速・高周波装置の心臓部として、性能的にもコスト的にも重要な位置付けにある。このようなものの一つに、マイクロストリップライン（ＭＳＬとする）型の平面共振回路（ＭＳＬ共振回路とする）を用いたものがある。
【０００３】
（従来技術の一例）第１７図はこの種の一従来例を説明する高周波発振器の図で、同図（ａ）は平面図、同図（ｂ）はＡ−Ａ断面図である。
高周波発振器は、ＭＳＬ共振回路１と、２端子対の負性抵抗体（発振素子）としての例えばガンダイオード２とからなる。ＭＳＬ共振回路１は、誘電体等からなる基板３の一主面に円形状の回路導体１Ａを形成し、他主面に接地導体４を設けてなる。ガンダイオード２は、ＭＳＬ共振回路１の一端外周（左端）から延出した整合線路５に一端側を接続し、他端側を図示しないビアホールによって接地導体４に接続する。そして、ＭＳＬからなる出力線６をＭＳＬ共振回路１の他端外周（右端）に接続するとともに、出力線６には容量性の整合線路５を設けてなる。
【０００４】
このようなものでは、ガンダイオード２はＭＳＬ共振回路１の共振周波数領域で負性抵抗を示す。そして、ＭＳＬ共振回路１に電力を供給することから、共振状態を維持即ち発振する。発振周波数は、概ね、回路導体１Ａの大きさ及び基板３の誘電率によって決定されるＭＳＬ共振回路１の共振周波数に依存する。なお、ガンダイオード２のような個別素子（ディスクリート素子）は比較的低価格であるので、特にミリ波帯等での発振素子として大いに期待される。
【０００５】
【発明が解決しようとする課題】
（従来技術の問題点）
しかしながら、上記構成の高周波発振器では、ガンダイオード２等の負性抵抗体はインピーダンスが比較的小さく、これに対してＭＳＬ共振回路１はインピーダンスが高いため、例えば整合線路５による両者のインピーダンス整合が一般に困難となる。また、ガンダイオード２の高周波接地のためには基板３にビアホール工程が必要であり、特に高周波になる程、ビアホールのリアクタンス（寄生成分）に起因する特性劣化例えば回路損失に伴う発振出力（電力）の低下が発生する。そして、生産性の向上を阻害する問題があった。
【０００６】
このことから、例えばＭＳＬ共振回路１の高次モード（ＴＭ２１）を利用し、第１８図に示したように幾何学的な対称点である同電位点に複数のガンダイオード２を接続して発振出力を合成したものがある。しかし、この場合においても、ビアホールによる回路損失に起因して電力の合成効率が悪い。
【０００７】
（発明の目的）本発明は、インピーダンスの整合を含めた各種の回路設計及び高出力化を容易にして生産性を高める高周波発振器を提供することを目的とする。
【０００８】
【課題を解決するための手段】
（着目点）本発明では、上述した従来技術の問題が基板の一主面に回路導体（信号線）を他主面に接地導体を有するＭＳＬ共振回路に起因することから、信号線と接地導体を同一主面に有するＣＰＷ型の平面共振回路（ＣＰＷ共振回路とする）に着目した。
【０００９】
（解決手段）本発明は、中央の信号線と前記信号線を取り囲む接地導体とを有する有限長としたコプレーナラインからなる基板の一主面に形成された共振回路と、前記コプレーナラインと一端側で電磁結合して前記基板の他主面に形成された出力線としてのマイクロストリップラインと、第１端子を外表面の中央部に有して前記第1端子とは極性の異なる第２及び第３端子を前記外表面の両端部に有する３端子型の負性抵抗体とを備え、前記負性抵抗体の第１端子は前記コプレーナラインの中央の信号線に接続し、前記負性抵抗体の第２端子は前記コプレーナラインの信号線に沿った両側のうちの一側の接地導体に接続し、前記負性抵抗体の第３端子は前記コプレーナラインの信号線に沿った両側のうちの他側の接地導体に接続した構成とする。
また、中央の信号線と前記信号線を取り囲む接地導体とを有する有限長としたコプレーナラインからなる基板の一主面に形成された共振回路と、前記コプレーナラインと一端側で電磁結合して前記基板の他主面に形成された出力線としてのマイクロストリップラインと、互いに極性の異なる第1端子と第２端子を外表面の両端部に有する２端子型とした２個の負性抵抗体とを備え、前記２個の負性抵抗体うちの一方の負性抵抗体の前記第1端子を前記コプレーナラインの中央の信号線に接続し、前記一方の負性抵抗体の前記第２端子を前記コプレーナラインの信号線に沿った両側のうちの一側の接地導体に接続し、前記２個の負性抵抗体のうちのもう一方の負性抵抗体の前記第1端子を前記コプレーナラインの中央の信号線に接続し、前記もう一方の負性抵抗体の前記第２端子を前記コプレーナラインの信号線に沿った両側のうちの他側の接地導体に接続した構成とする。
【００１０】
【作用】
本発明では、ＣＰＷ共振回路を適用して３端子型又は２端子型とした２端子対の負性抵抗体を接続するので、負性抵抗体の高周波接地が同一主面上で行える。したがって、ＭＳＬ共振回路のように高周波接地用のビアホールを必要としないので、回路損失（寄生成分）を少なくした実装を容易にし、高周波での優れた発振特性を得られる。また、ＣＰＷ共振回路７はＣＰＷに沿って定在波が生じて各点でのインピーダンスを異にするので、整合線路（回路）を要することなく、負性抵抗体の接続位置を決めるのみでインピーダンス整合を容易にする。以下本発明に基づく各実施例を説明する。
【００１１】
【第１実施例、請求項１、２】
第１図は本発明の第１実施例を説明する高周波発振器の図で、同図（ａ）は平面図、同図（ｂ）は同図（ａ）のＡ−Ａ断面図、同図（ｃ）は同Ｂ−Ｂ断面図である。
高周波発振器は、概ねＣＰＷ共振回路７と、２端子対の負性抵抗体としてのガンダイオード２からなる。ＣＰＷ共振回路７は基板３の一主面に形成され、発振周波数の約１／２波長（λ／２）とした有限長の信号線７Ａと、両側及び上下の接地導体４からなる。なお、ＣＰＷはλ／２としたが、この整数倍であればよい。すなわち、ＣＰＷ共振回路７は両端高周波開放としたＣＰＷの伝送線路からなる。ガンダイオード２は、ここでは例えばカソード電極を挟む２つのアノード電極を有する構造で、外表面の中央部に一方の端子を両端部に他方の端子を有する計３つの端子を有する２端子対とする（請求項１）。
【００１２】
そして、ＣＰＷ共振回路７の中央領域ここでは中心線上において、ガンダイオード２における中央部の一方の端子をＣＰＷの信号線７Ａに、両端部の他方の端子を両側の接地導体４にバンプ８を用いたフリップチップ実装によって接続する。基板３の一主面にはＣＰＷの一端側で電磁結合したＭＳＬが、ＣＰＷの延長方向に出力線６として形成される。
【００１３】
このような構成であれば、ＣＰＷ共振回路７は信号線と両側の接地導体４との間で生ずる電界及びこれによる磁界によって高周波がＣＰＷを伝播し、ここでは両端開放したことにより中央部を最小として両端部を最大とした電圧分布の定在波による共振モードとなる。但し、電流はこれとは逆の分布となる。そして、ここでは、ＣＰＷ共振回路７に２端子対としたガンダイオード２の中央部の一方の端子を信号線７Ａに、両端部の他方の端子を両側の接地導体４に接続する。したがって、ＣＰＷ共振回路７には共振周波数領域での電力が供給されて発振する。そして、電磁結合した出力線６（ＭＳＬ）により、発振出力を得る。
【００１４】
そして、ガンダイオード２をＣＰＷ共振回路７の中央領域に接続するので、インピーダンス整合を容易にする。すなわち、共振モードの電流が最大（電圧が最小）となる個所に低インピーダンスのガンダイオード２を接続するので、格別の整合回路（線路）を設けることなく、インピーダンス整合を容易にする。また、ＣＰＷ共振回路７の信号線と接地導体４が同一面にあるので、ガンダイオード２を容易に実装できる。そして、基板３にはビアホールを要しないので、回路損失を少なくして発振出力を大きくできる。
【００１５】
また、基板３表面には出力線６であるＭＳＬを電磁結合させている。この構造であるために、ガンダイオード２の装荷ポイントは、ＣＰＷ共振モードに整合する点を選べばよく、また、ガンダイオードへの直流バイアス（電源電圧）の供給ポイントは、例えばＣＰＷの幅方向の中心線上となる共振モードの電圧ゼロ点を選べば高周波発振への影響は回避できる。供給ポイントには、図示しない給電線を接続して電源電圧を印加する。
【００１６】
なお、上記例では、中央部に一方の端子を両端部に他方の端子を有するガンダイオード２を適用して説明したが、一端部に一方の端子を他端部に他方の端子を有する場合はこれを一組（２個）用意し、第２図に示したように接続すればよい（請求項２）。すなわち、各ガンダイオード２の一方の端子を信号線７Ａに接続し、他方の端子を両側の接地導体４に接続すれはよい。但し、ガンダイオード２の個数を少なくできるので、上記例の方が実装が容易である。
【００１７】
また、出力線６は直線状としてＣＰＷの延出方向としたが、第３図に示したようにＣＰＷの電流分布の大きい中央領域にループ状の出力線６としてのＭＳＬを形成して磁界結合によって出力を取り出すこともできる（第３図）。
【００１８】
また、ＣＰＷ共振回路７はＣＰＷを両端高周波開放としたが、第４図に示したように例えば両端側にコンデンサ９を設けて両端高周波短絡としてもよい。この場合は、中央部で最大として両端側で最小とした電圧分布の共振モードとなる。但し、電流の分布は逆である。したがって、電流分布が最大領域のＣＰＷの一端側にガンダイオード２を配置し、前述したループ状のＭＳＬを出力線６として磁界結合によって出力を得る。
【００１９】
また、コンデンサ９に代え、第５図に示したようにＣＰＷの両端側で一部が重畳したλ／２のＭＳＬを他主面に設けて両端高周波短絡端としてもよい。この場合、出力線６は同様にループ状としたＭＳＬとすればよい。あるいは、ループ状とした出力線（ＭＳＬ）６を共振系からはずれて形成し、疎結合としてもよい（第６図）。
【００２０】
また、第７図に示したように、コンデンサ９及びλ／２のＭＳＬ１０に代え、ＣＰＷ共振回路７の両端側にガンダイオードを直接に接続して両端高周波短絡端としてもよい。この場合も、ループ状とした出力線（ＭＳＬ）６によって出力を得られる。
【００２１】
さらに、ＣＰＷ共振回路７の一端側を開放とし、他端側を高周波短絡として形成することもできる。この場合、例えば第８図に示したように、ＣＰＷ共振回路７の一端側にガンダイオード２を設けて、一端側を高周波短絡端とし、他端を高周波開放端とすればよい。また、前述したＣＰＷ共振回路７の両側にダイオードを配置した場合でも、ＣＰＷの一端側にコンデンサ９やλ／２のＭＳＬ１０を設けることによって形成できる（未図示）。但し、ＣＰＷ共振回路７の線路長は概ねλ／４の奇数倍となる。これらの場合、電流分布が最大となる高周波短絡端側にループ状の出力線６を設けることによって出力を得る。これらの場合でも、上記例と作用効果は基本的に同じである。
【００２２】
【第２実施例】
第９図は本発明の第２実施例を説明する高周波発振器の平面図である。なお、これ以降の各実施例では、前従来例と同一部分には同番号を付与してその説明は簡略又は省略する。
前第１実施例では負性抵抗体としてのガンダイオード２をＣＰＷ共振回路７の中央領域の一箇所に配置したが、第２実施例では２箇所に配置して電力合成する例である。すなわち、第２実施例では中央部に一方の端子を両端部に他方の端子を有する計３つの端子を有する２端子対のガンダイオード２（２個）を、例えば両端高周波開放としたＣＰＷ共振回路７の中央領域の２箇所に中心線に対して対称に並設する。そして、一端側に直線状の出力線６を設ける。
【００２３】
このような構成であれば、ＣＰＷ共振回路７の２箇所にて共振周波数での電力が各ガンダイオード２から供給されるので、それぞれからの発振出力が合成されて倍加する。この場合、前述したようにビアホールを要しないので、電力合成の損失も少なく効率的な電力合成が可能になる。また、この場合でも、ＣＰＷ共振回路７の中央領域はインピーダンスが比較的小さいので、ガンダイオード２とのインピーダンス整合を容易にする。また、中央領域の整合しやすい個所を選択すればよい。
【００２４】
なお、上記例では両端高周波開放としたが、両端高周波短絡又は一端を高周波開放として他端を高周波短絡として構成できる。ちなみに、第１０図はコンデンサ９による両端高周波短絡とした例である。なお、前述した第７図の両端側にガンダイオードを配置した場合でも電力合成ができる。
【００２５】
また、一端を高周波開放として他端を高周波短絡とする場合は、例えば第１１図に示したように、ＣＰＷ共振回路７の一端側の延長方向と横断方向にガンダイオード２を配置すればよい。この場合、ＣＰＷの線路長は例えばλ／４で他端側は電圧分布が最大となることから、電流分布が最小となる一端側にガンダイオードを配置して電力合成とする。
【００２６】
【第３実施例】
第１２図は本発明の第３実施例を説明する高周波発振器の図で、同図（ａ）は平面図、同図（ｂ）は断面図である。
第３実施例は高周波発振器を可変リアクタンスを用いた周波数可変型とする例である。すなわち、第３実施例では、例えばＣＰＷ共振器はＣＰＷを両端高周波開放とし、ガンダイオード２を２個並設して電力合成とし、線状の出力線６（ＭＳＬ）を一端側に設ける。そして、基板３の一主面にガンダイオード２を取り囲みＣＰＷ共振回路７と電磁結合したループ状のＭＳＬ１１を形成し、ＣＰＷの両側で２個の可変リアクタンス素子としての電圧可変容量ダイオード１２をループ状のＭＳＬ１１に接続する。そして、各電圧可変容量素子に図示しない供給線を接続して制御電圧を印加する。
【００２７】
このような構成であれば、制御電圧による電圧可変容量ダイオードの容量変化がＣＰＷ共振器７の電磁場に影響を与えてＣＰＷの実質的な電気長を異ならせる。したがって、これに伴い発振周波数も変化するので、簡易な構成で周波数可変型とすることができる。
【００２８】
上記例ではＣＰＷを両端高周波開放としたが、両端高周波短絡であったとしても構成できる。すなわち、例えば第１３図に示したように高周波短絡端とするコンデンサ９と接地導体４との間に電圧可変容量ダイオード１２を接続して、制御電圧を印加すればよい。この場合、電圧可変容量ダイオード１２はＣＰＷの一端側のみでもよい。
【００２９】
【第４実施例】
第１４図は本発明の第４実施例を説明する高周波発振器の図で、同図（ａ）は平面図、同図（ｂ）は断面図である。
第４実施例は、発振周波数f0に対して１／ｎ（ｎは整数）の信号（ｆ0／ｎ）で発振同期をとる、所謂、サブ・ハーモニック注入同期発振器の構成例である。この例では、比較的低周波数であるサブ・ハーモニック注入同期信号f0/nはＣＰＷ共振器７の設けられた基板３の同一面（一主面）にＣＰＷ１３を形成し、これに接続した注入線１４によってＣＰＷ共振回路７のＣＰＷに注入する。注入線１４はＣＰＷ（信号線７Ａ）の幅方向の中点に接続して対称性を維持する。なお、注入線１４は同期信号の周波数が低いので、これによる寄生成分の影響は小さい。
【００３０】
この場合、共振モードへの影響が少ない低インピーダンスポイントで幅方向の中心線上に注入することが可能であり、位相雑音特性と周波数安定化を図ることができる。さらに、注入同期信号を周波数シンセサイザーからとすれば、これに基づいて高周波での周波数シンセサイザーの実現も可能である。なお、注入同期信号は前述のように周波数が低くて影響が小さいので、電磁結合やビアホールを介して結合したＭＳＬで注入してもよい。
【００３１】
【第５実施例】
第１５図は本発明の第５実施例を説明する高周波発振器の図で、同図（ａ）は平面図、同図（ｂ）は断面図である。
第５実施例は、前述したＣＰＷ共振回路７にガンダイオード２を設けた発振回路系を２系統用いることによって、基本発振周波数ｆ0の２倍の発振周波数２ｆ0を効率よく得る2相Push-Push発振の例である。すなわち、ここでは、いずれもガンダイオード２を設けた第１と第２のＣＰＷ共振回路７（ａｂ）からなる発振回路系をＣＰＷ（信号線）の延長方向に配置し、各出力線を共通接続した第１ＭＳＬ（第１出力線）６ａにより電磁結合する。そして、基本発振周波数ｆ0にとって概ね4分の1波長である先端開放ＭＳＬを中点から一側面に向かって突出し、同中点から２倍の発振周波数２ｆ0を得るＭＳＬからなる第２出力線６ｂを他側面の端部に延出する。
【００３２】
このような構成であれば、第１と第２の発振回路系の出力は、互いに逆相で合成されるので基本周波数ｆ0は相殺されて、基本周波数ｆ0の２倍の発振周波数２ｆ0が得られる。したがって、極めて簡易な回路構成で2相Push-Push発振を構成できる。
【００３３】
【実施例６】
第１６図は本発明の第６実施例を説明する高周波発振器の平面図である。
前第５実施例では2相Push-Push発振の例を示したが、第６実施例は基本発振周波数f0の4倍の発振周波数出力4f0を発振させる4相Push-Push発振の例である。すなわち、第６実施例は、前述した第５実施例のＣＰＷの延長方向に配置した２個の発振回路系を並列に配置する。そして、各第１出力線６ａを横断した第２出力線６ｂを共通接続して第３出力線６ｃとし、基本発振周波数ｆ0にとって８分の1波長である先端開放ＭＳＬが第３出力線６の中点から突出した４倍波4f0の第４出力線６ｄを接続する。但し、第１出力線の中点間となる第３出力線６ｃは基本発振周波数ｆ0に対してλ／４とする。
【００３４】
このような構成であれば、第２出力線６ｃは2倍波の2分の1波長共振回路として動作するので、Push-Push原理に基づいて４ｆ0の発振出力が得られる。このように、極めて簡易な回路構成で4倍の周波数の高周波発振も実現できるので、特にミリ波やサブミリ波帯の発振源として有効である。勿論、これをさらにPush-Push化すれば基本周波数に対して８倍以上の発振周波数を得られる。
【００３５】
【発明の効果】
以上説明したように、本発明は、所謂、両平面回路技術によって、基板の両面に形成したコプレーナラインとマイクロストリップラインの伝送特性と線路構造を活用して、従来技術の課題である高周波帯発振器の簡易化、高出力化、高周波化さらに高品質特性を実現するものである。この回路構造によって、以下のような効用を実現することが出来る。
（１）コプレ−ナラインを用いているために、発振ダイオードあるいは負性抵抗IC?をバンプ実装や表面実装によって高精度にかつ効率よく製造できる。従って、特にミリ波等の超高周波帯発振器としても有効である。
（２）回路構造上、多素子発振も容易であり電力合成による高出力化、および低位相雑音化にも優れている。
（３）発振周波数の可変制御や2倍波・４倍波出力等のPush-Push発振も容易に実現可能である。
【００３６】
要するに、本発明は、中央の信号線と前記信号線を取り囲む接地導体とを有する有限長としたコプレーナラインからなる基板の一主面に形成された共振回路と、前記コプレーナラインと一端側で電磁結合して前記基板の他主面に形成された出力線としてのマイクロストリップラインと、第１端子を外表面の中央部に有して前記第1端子とは極性の異なる第２及び第３端子を前記外表面の両端部に有する３端子型の負性抵抗体とを備え、前記負性抵抗体の第１端子は前記コプレーナラインの中央の信号線に接続し、前記負性抵抗体の第２端子は前記コプレーナラインの信号線に沿った両側のうちの一側の接地導体に接続し、前記負性抵抗体の第３端子は前記コプレーナラインの信号線に沿った両側のうちの他側の接地導体に接続した構成とする。
また、中央の信号線と前記信号線を取り囲む接地導体とを有する有限長としたコプレーナラインからなる基板の一主面に形成された共振回路と、前記コプレーナラインと一端側で電磁結合して前記基板の他主面に形成された出力線としてのマイクロストリップラインと、互いに極性の異なる第1端子と第２端子を外表面の両端部に有する２端子型とした２個の負性抵抗体とを備え、前記２個の負性抵抗体うちの一方の負性抵抗体の前記第1端子を前記コプレーナラインの中央の信号線に接続し、前記一方の負性抵抗体の前記第２端子を前記コプレーナラインの信号線に沿った両側のうちの一側の接地導体に接続し、前記２個の負性抵抗体のうちのもう一方の負性抵抗体の前記第1端子を前記コプレーナラインの中央の信号線に接続し、前記もう一方の負性抵抗体の前記第２端子を前記コプレーナラインの信号線に沿った両側のうちの他側の接地導体に接続した構成とする。したがって、インピーダンスの整合を含めた各種の回路設計及び高出力化を容易にして生産性を高める高周波発振器を提供できる。
【図面の簡単な説明】
【図１】  本発明の第１実施例を説明する高周波発振器の図で、同図（ａ）は平面図、同図（ｂ）は同図（ａ）のＡ−Ａ断面図、同図（ｃ）は同Ｂ−Ｂ断面図である。
【図２】  本発明の第１実施例の他の例を説明する高周波発振器の図で、同図（ａ）は平面図、同図（ｂ）は同図（ａ）のＡ−Ａ断面図、同図（ｃ）は同Ｂ−Ｂ断面図である。
【図３】  本発明の第１実施例を説明する高周波発振器の図で、同図（ａ）は平面図、同図（ｂ）は同図（ａ）のＡ−Ａ断面図、同図（ｃ）は同Ｂ−Ｂ断面図である。
【図４】  本発明の第１実施例の他の例を説明する高周波発振器の図で、同図（ａ）は平面図、同図（ｂ）は同図（ａ）のＡ−Ａ断面図、同図（ｃ）は同Ｂ−Ｂ断面図である。
【図５】  本発明の第１実施例を説明する高周波発振器の図で、同図（ａ）は平面図、同図（ｂ）は同図（ａ）のＡ−Ａ断面図、同図（ｃ）は同Ｂ−Ｂ断面図である。
【図６】  本発明の第１実施例の他の例を説明する高周波発振器の図で、同図（ａ）は平面図、同図（ｂ）は同図（ａ）のＡ−Ａ断面図、同図（ｃ）は同Ｂ−Ｂ断面図である。
【図７】  本発明の第１実施例を説明する高周波発振器の図で、同図（ａ）は平面図、同図（ｂ）は同図（ａ）のＡ−Ａ断面図である。
【図８】  本発明の第１実施例の他の例を説明する高周波発振器の図で、同図（ａ）は平面図、同図（ｂ）は同図（ａ）のＡ−Ａ断面図である。
【図９】  本発明の第２実施例を説明する高周波発振器の図で、同図（ａ）は平面図、同図（ｂ）は同図（ａ）のＡ−Ａ断面図、同図（ｃ）は同Ｂ−Ｂ断面図である。
【図１０】  本発明の第２実施例の他の例を説明する高周波発振器の図で、同図（ａ）は平面図、同図（ｂ）は同図（ａ）のＡ−Ａ断面図、同図（ｃ）は同Ｂ−Ｂ断面図である。
【図１１】  本発明の第２実施例の他の例を説明する高周波発振器の図で、同図（ａ）は平面図、同図（ｂ）は同図（ａ）のＡ−Ａ断面図、同図（ｃ）は同Ｂ−Ｂ断面図である。
【図１２】  本発明の第３実施例の他の例を説明する高周波発振器の図で、同図（ａ）は平面図、同図（ｂ）は同図（ａ）のＡ−Ａ断面図である。
【図１３】  本発明の第３実施例の他の例を説明する高周波発振器の図で、同図（ａ）は平面図、同図（ｂ）は同図（ａ）のＡ−Ａ断面図である。
【図１４】  本発明の第４実施例の他の例を説明する高周波発振器の図で、同図（ａ）は平面図、同図（ｂ）は同図（ａ）のＡ−Ａ断面図である。
【図１５】  本発明の第５実施例の他の例を説明する高周波発振器の図で、同図（ａ）は平面図、同図（ｂ）は同図（ａ）のＡ−Ａ断面図である。
【図１６】  本発明の第６実施例の他の例を説明する高周波発振器の図で、同図（ａ）は平面図、同図（ｂ）は同図（ａ）のＡ−Ａ断面図である。
【図１７】  従来例を説明する高周波発振器の図で、同図（ａ）は平面図、同図（ｂ）は同図（ａ）のＡ−Ａ断面図である。
【図１８】  従来例を説明する高周波発振器の平面図である。
【符号の説明】
１  ＭＳＬ共振回路、２  ガンダイオード、３  基板、４  接地導体、５  整合線路、６  出力線、７  ＣＰＷ共振回路、８  バンプ、９  コンデンサ、１０、１１  ＭＳＬ、１２  電圧可変容量ダイオード、１３  ＣＰＷ．
【図１】
0004588947.tif 000002
【図２】
0004588947.tif 000003
【図３】
0004588947.tif 000004
【図４】
0004588947.tif 000005
【図５】
0004588947.tif 000006
【図６】
0004588947.tif 000007
【図７】
0004588947.tif 000008
【図８】
0004588947.tif 000009
【図９】
0004588947.tif 000010
【図１０】
0004588947.tif 000011
【図１１】
0004588947.tif 000012
【図１２】
0004588947.tif 000013
【図１３】
0004588947.tif 000014
【図１４】
0004588947.tif 000015
【図１５】
0004588947.tif 000016
【図１６】
0004588947.tif 000017
【図１７】
0004588947.tif 000018
【図１８】
0004588947.tif 000019